(57)【要約】      （修正有）【課題】低コストで、点灯に対する応答性が高く、消費電力量の低減を図ることができるごみ処理施設の照明装置を提供する。【解決手段】被処理物３を収容する収容空間４を形成するピット壁部５に、被処理物３を投入する複数の投入扉Ｇ１〜Ｇ６が設けられるピット構造体と、床部９と天井部との間に車両Ｔが通行可能なプラットホーム空間１１が形成されるプラットホーム構造体と、投入扉Ｇ１〜Ｇ６毎に配置される複数の表示灯Ｌ１〜Ｌ６を有し、各表示灯のいずれか１つを点灯させる誘導表示手段１４と、車両に搭載される被処理物３の重量を計測し、ごみ処理施設に、発光ダイオードを光源とする複数の照明ユニットを有する照明手段１７と、ごみ計量機の計量値信号に応答して、被処理物３の収容空間４内の堆積状況に応じて選ばれる投入扉に対応する表示灯を点灯させるとともに、投入扉に予め関連付けられた照明ユニットを点灯させる制御装置２０とを設ける。【選択図】図１
2013054861.tif 000002
【特許請求の範囲】
【請求項１】
被処理物を収容するための収容空間を形成するピット壁部に、被処理物を投入するための複数の投入扉が設けられるピット構造体と、
床部と天井部とを有し、前記床部と前記天井部との間に、車両が前記ピット構造体まで通行可能なプラットホーム空間が形成されるプラットホーム構造体と、
前記複数の投入扉毎に個別に対応付けて配置される複数の表示灯を有し、各表示灯のいずれか１つを点灯させる誘導表示手段と、
前記車両に搭載される被処理物の重量を計測し、計測した重量を表す計量値信号を出力する計量手段とを含むごみ処理施設に設けられる照明装置であって、
前記天井部に設置されて前記床部に向かって光を照射し、発光ダイオードを光源とする複数の照明ユニットを有する照明手段と、
前記計量手段からの計量値信号に応答して、前記被処理物の収容空間内の堆積状況に応じて選ばれる投入扉に対応する表示灯を点灯させるとともに、前記選ばれた投入扉に予め関連付けられた照明ユニットを点灯させる制御手段とを含むことを特徴とするごみ処理施設の照明装置。
【請求項２】
前記制御手段は、前記選ばれた投入扉が閉鎖されたときから予め定める時間が経過したとき、前記点灯中の照明ユニットを消灯させることを特徴とする請求項１に記載のごみ処理施設の照明装置。
【発明の詳細な説明】
【技術分野】
【０００１】
本発明は、家庭ごみおよび産業廃棄物などの被処理物を投入扉からごみピット内へ投入する廃棄物収集車両のプラットホームを照明するために好適に実施することができるごみ処理施設の照明装置に関する。
【背景技術】
【０００２】
従来から、ごみ処理施設には、一般家庭で発生したごみおよび工場で発生した産業廃棄物などの被処理理物を搭載した廃棄物収集車両が到着して、前記ごみピットに前記搭載してきた被処理物を投入するためのプラットホームが設けられている。
【０００３】
このプラットホームでは、一灯あたりの消費電力が４００Ｗの水銀灯を２０〜３０灯、常時点灯させ、プラットホーム全体を照明している。そのため、照明に要する電力コストが多く、省電力化の要求が高まる近年、低コストで、より消費電力量の削減が求められている。また水銀灯は、電力を印加されてから充分な輝度に達するまでに長い時間を要し、応答性が低いという問題がある（たとえば、特許文献１参照）。
【先行技術文献】
【特許文献】
【０００４】
【特許文献１】特開２００３−４４３５号公報
【発明の概要】
【発明が解決しようとする課題】
【０００５】
本発明の目的は、低コストで、応答性が高く、消費電力量の低減を図ることができるごみ処理施設の照明装置を提供することである。
【課題を解決するための手段】
【０００６】
本発明は、被処理物を収容するための収容空間を形成するピット壁部に、被処理物を投入するための複数の投入扉が設けられるピット構造体と、
床部と天井部とを有し、前記床部と前記天井部との間に、車両が前記ピット構造体まで通行可能なプラットホーム空間が形成されるプラットホーム構造体と、
前記複数の投入扉毎に個別に対応付けて配置される複数の表示灯を有し、各表示灯のいずれか１つを点灯させる誘導表示手段と、
前記車両に搭載される被処理物の重量を計測し、計測した重量を表す計量値信号を出力する計量手段とを含むごみ処理施設に設けられる照明装置であって、
前記天井部に設置されて前記床部に向かって光を照射し、発光ダイオードを光源とする複数の照明ユニットを有する照明手段と、
前記計量手段からの計量値信号に応答して、前記被処理物の収容空間内の堆積状況に応じて選ばれる投入扉に対応する表示灯を点灯させるとともに、前記堆積状況に応じて選ばれた投入扉に予め関連付けられた照明ユニットを点灯させる制御手段とを含むことを特徴とするごみ処理施設の照明装置である。
【０００７】
また本発明は、前記制御手段は、前記選ばれた投入扉が閉鎖されたときから予め定める時間が経過したとき、前記点灯中の照明ユニットを消灯させることを特徴とする。
【発明の効果】
【０００８】
本発明によれば、計量手段によって収集車両に搭載される被処理物の重量が計量され、計量した被処理物の重量を表す計量値信号を出力されると、制御手段は、前記計量手段からの計量値信号に応答して、前記被処理物の収容空間内の堆積状況に応じて選ばれる投入扉に対応する表示灯を点灯させるとともに、前記堆積状況に応じて選ばれた投入扉に予め関連付けられた照明ユニットだけを点灯させるので、消費電力量を低減し、低コスト化を図ることができる。
【０００９】
また、各照明ユニットは、発光ダイオードを光源とするので、前記従来技術のように、水銀灯を光源とする照明装置に比べて、短時間で所要の輝度に達し、応答性が高いとともに、消費電力が格段に少なく、これによってもまた、消費電力量を低減することができる。
【００１０】
しかも、制御手段は、誘導表示手段の表示灯を選択するための信号に応答して、照明ユニットを点灯させるので、既存のシステムを大きく変更せずに、容易に本発明に係る照明装置を実施することができる。
【００１１】
また本発明によれば、制御手段によって、前記選ばれた投入扉が閉鎖されたときから予め定める時間が経過したとき、前記点灯中の照明ユニットを消灯させるので、照明ユニットの無駄な点灯時間の削減が図られ、より一層、消費電力量を低減することができる。
【図面の簡単な説明】
【００１２】
【図１】本発明の一実施形態の照明装置１の概略的構成を示す系統図である。
【図２】照明装置１が適用されるごみ処理施設２の簡略化した断面図である。
【図３】照明ユニットＵの具体的構成を示す拡大断面図である。
【図４】制御装置２０の電気的構成を示すブロック図である。
【図５】制御装置２０の動作を説明するためのフローチャートである。
【図６】本発明の他の実施形態のごみ処理施設の照明装置１ａの照明ユニットＵを示す斜視図である。
【図７】図６に示す照明装置１ａの照明ユニットＵの断面図である。
【発明を実施するための形態】
【００１３】
図１は本発明の一実施形態の照明装置１の概略的構成を示す系統図であり、図２は照明装置１が適用されるごみ処理施設２の簡略化した断面図である。本実施形態の照明装置１は、被処理物３を収容するための収容空間４を形成するピット壁部５を有し、このピット壁部５には、前記収容空間４に被処理物３を投入するための投入口６を開閉する複数の投入扉Ｇ１〜Ｇ６が設けられるピット構造体８と、床部９と天井部１０とを有し、前記床部９と前記天井部１０との間に、被処理物３の収集車両Ｔが通行可能なプラットホーム空間１１が形成されるプラットホーム構造体１２と、前記複数の投入扉Ｇ１〜Ｇ６毎に個別に対応付けて配置される複数の表示灯Ｌ１〜Ｌ６を有し、各表示灯Ｌ１〜Ｌ６のいずれか１つを点灯させて、点灯させた表示灯Ｌ１〜Ｌ６に対応する投入扉Ｇ１〜Ｇ６に前記収集車両Ｔを誘導するための誘導表示手段１４と、前記収集車両Ｔに搭載される被処理物３の重量を計測し、計測した重量を表す計量値信号を出力する計量手段としてのごみ計量機１５とを含む。
【００１４】
前記複数の表示灯Ｌ１〜Ｌ６の点灯は、時系列的に点灯と消灯とを繰り返して点滅させる場合と、光源を連続して発光状態にして、遮蔽板または反射板によって光源光を遮断／透過を繰り返す場合とがあり、本実施形態では、光源自体を点滅させて、看者の注意を喚起するように構成されている。前記床部９には、収集車両Ｔを検出して各投入扉Ｇ１〜Ｇ６を個別に開閉するための構成として、投入扉Ｇ１〜Ｇ６毎にたとえばループコイルが埋設され、後述する制御装置２０によって収集車両Ｔをループコイルが検出すると、対応する投入扉Ｇ１〜Ｇ６を開放し、ループコイルが収集車両Ｔを検出状態から引検出状態に変化すると、開放されていた投入扉Ｇ１〜Ｇ６を閉鎖する。
【００１５】
前記照明装置１は、さらに前記天井部１０に設置されて前記収集車両Ｔの床部９に向かって光を照射し、発光ダイオード（Light Emitting Diode；略称ＬＥＤ）を光源とする複数の照明ユニットＵ１１，Ｕ１２，Ｕ１３；……；Ｕ６１，Ｕ６２，Ｕ６３（総称する場合には、「照明ユニットＵ」と記す。また、各照明ユニットＵ１１，Ｕ１２，Ｕ１３；……の各照明ユニット列を称する場合には、「照明ユニット列Ｕ１」、「照明ユニット列Ｕ２」、……と記す。）を有する照明手段１７と、前記ごみ計量機１５からの計量値信号に応答して、前記被処理物３の収容空間４内の堆積状況に応じて選ばれる投入扉Ｇ１〜Ｇ６に対応する表示灯Ｌ１〜Ｌ６を点灯させるとともに、前記堆積状況に応じて選ばれた投入扉Ｇ１〜Ｇ６に予め関連付けられた照明ユニットＵを照明ユニット列Ｕ１，Ｕ２，…毎に点灯させる制御手段としての制御装置２０とを含む。
【００１６】
前記ごみ処理施設２は、ごみピット２１、焼却炉２２、ごみクレーン２３、ごみ投入ホッパ２４、破砕機２５、給じん装置２６、ごみピット汚水受層２７、ろ液貯留槽２８、ろ液噴霧ポンプ２９、二次送風機３０、および不燃物取出コンベア３１を含む。前記ごみピット２１は、前述のピット構造体８およびプラットホーム構造体１２を含んで構成される。
【００１７】
収集車両Ｔが焼却用ごみとして選別された被処理物３を収集してくると、収集車両Ｔをごみ計量機１５によって計量し、車両重量を差し引いた被処理物３の重量が算出されて計量値信号として前述の制御装置２０へ出力される。被処理物３は、プラットホーム空間１１に停車した収集車両Ｔから投入扉Ｇ１〜Ｇ６のいずれか１つの投入扉、たとえば投入扉Ｇ１の投入口６から投入され、ごみピット構造体８内の収容空間４内が一定量になるまで堆積させる。その間、オペレータは、ごみクレーン２３によって、収容空間４内の被処理物３を局所的に集中して堆積しないように、収容空間４内に投入された被処理物３を移動させる。
【００１８】
ごみクレーン２３は、図２の紙面に垂直な奥行き方向Ｙ１，Ｙ２に延びる一対の走行レール３３に沿って走行可能なクレーンビーム３４と、クレーンビーム３４に奥行き方向Ｙ１，Ｙ２に垂直な幅方向Ｘ１，Ｘ２に移動可能でかつ奥行き方向Ｙ１，Ｙ２および幅方向Ｘ１，Ｘ２を水平面に垂直な上下方向Ｚ１，Ｚ２にワイヤの巻上げ／巻下しによって移動可能なバケット３５とを有する。
【００１９】
このようなごみクレーン２３は、ごみピット２１のピット壁部５に装備された操作室３６内のクレーン操作装置３７をオペレータが操作することによって、運転制御され、ごみピット２１内の被処理物３をバケット３５によって掴んで、ごみホッパ２４へ投入することができる。
【００２０】
ごみホッパ２４へ投入された被処理物３は、破砕機２５によって破砕された後、給じん装置２６によって焼却炉２２内へ供給され、焼却される。また、ごみピット２１におけるピット構造体８の底部には、収容空間４内に溜まった汚水を回収するためのごみピット汚水受槽２７が設けられる。ごみピット汚水受槽２７内に溜まった汚水のうち、沈降分離によって上方へ分離したろ液は、ごみピット汚水受槽２７内に設置されたポンプ３２によって汲上げられ、ろ液貯留槽２８へ供給される。
【００２１】
ろ液貯留槽２８内に貯留されるろ液は、ろ液噴霧ポンプ２９から管路を経て焼却炉２２へ導かれて噴霧され、その一部は助燃バーナ３８からの火炎に接触し、残部は火格子３９上に堆積した高温の燃焼生成物である残渣に接触して、熱分解処理される。火格子３９上の残渣は、不燃物取出コンベア３１によって、後続する処理施設へ供給されて処理される。
【００２２】
ごみピット２１の収容空間４内に投入された被処理物３の重量は、前述のようにごみ計量機１５によって計量されているため、被処理物３の重量とその体積から、ごみピット２１の収容空間４内に堆積している被処理物３の見掛け比重を算出することができ、この見掛け比重の算出を、たとえば３０分〜９０分の時間間隔で定期的に行うことによって、被処理物３から水分が除去されていく過程における被処理物３の乾燥度を推測し、ごみピット２１内の被処理物３の見掛け比重が一定の値になったとき、被処理物３の乾燥度が焼却に適した状態であるという経験則に基く判断基準によって、焼却時期の適否を判断している。このような被処理物３の乾燥度からは、焼却時における発生熱量をも予測することができ、焼却炉２２の燃焼状態の制御に用いられる。
【００２３】
図３は、照明ユニットＵの具体的構成を示す拡大断面図である。前記天井部１０は、複数の鋼材などによって構築された天井構造体４０を含み、この天井構造体４０には、断面が略Ｃ字状の形鋼材によって実現される複数の取付部材４１が水平でかつ平行に固定される。各取付部材４１には、前述した複数の照明ユニットＵが垂下した状態で取付けられる。
【００２４】
各照明ユニットＵは、吊下構造体４２と、底部が開放した中空の円錐台状の反射カバー体４３と、反射カバー体４３の中央部に設けられる光源部４４とを有する。
【００２５】
前記吊下構造体４２は、一対の挟持板４５，４６、第１吊下部材４７、第２吊下部材４８、ブラケット４９、一対の挟着用ナット５０，５１、および自在継手５２を含む。各挟持板４５，４６は、矩形の鋼板から成る。第１吊下部材４７は、棒状体の軸線方向一端部に外ねじが刻設され、軸線方向他端部には、前記自在継手５２の嵌合凹部５３が設けられる。第２吊下部材４８は、棒状体の軸線方向一端部に前記自在継手５２の嵌合凸部５４が設けられ、軸線方向他端部は前記ブラケット４９に固定される。ブラケット４９は、反射カバー体４３の頂部に同一軸線上で複数のビス（図示せず）などによって固定される。
【００２６】
前記嵌合凹部５３は、球面の一部を成す内面によって規定される嵌合凹所５３ａを有する。また嵌合凸部５４は、球面の一部を成す外面を有する略球状の部材によって実現される。嵌合凸部５４は嵌合凹所４３ａに手作業によって回動可能な状態で嵌合し、反射カバー体４３の向きを変化させて、光源部４４の光の照射方向を調整することができるように構成されている。
【００２７】
前記光源部４４は、複数の発光ダイオード（Light Emitting Diode；略称ＬＥＤ）が光源として実装される発光体６０と、発光体６０が搭載され、発光体６０で発生する熱を放散するヒートシンク６１とを有する。発光体６０は、たとえば出力が１１０Ｗ程度のいわゆる電球型ＬＥＤによって実現され、前記従来技術の出力４００Ｗ程度の水銀灯に比べて、オン・オフ制御に対する応答性が高く、消費電力が少ないために、長時間点灯しても消費電力量を低減して、低コスト化を図ることができる。
【００２８】
前記反射カバー体４３は、反射カバー本体６２と、反射カバー本体６２の頂部に固定され、該頂部から突出する前記ヒートシンク６１を覆う補助カバー体６３とを有する。反射カバー本体６２は、円錐台状の側壁部６４と、側壁部６４の小径端部に連なる円板状の小径底部６５とを有する。このような反射カバー本体６２は、ステンレス鋼またはアルミニウム合金から成る。側壁部６４の内周面６４ａおよび小径底部６５の内面６５ａは、反射面を構成するため、反射塗膜または金属めっき層によって高い反射率を有する。
【００２９】
補助カバー体６３は、円筒状の側壁部６８と、側壁部６８の前記ブラケット４９寄りに配置される軸線方向一端部に連なる円板状の底部６９と、側壁部６８の軸線方向他端部に連なるフランジ部７０とを有する。側壁部６８には、複数の通気孔７１が形成され、ヒートシンク６１に送風して、ヒートシンク６１から放出される熱の大気への拡散効率を向上するための送風ファンユニット７２が設けられる。この送風ファンユニット７２は、モータと、モータの出力軸に装着されたプロペラとを有する軸流ファンであって、出力が５Ｗ程度のシロッコファンによって実現される。
【００３０】
図４は、制御装置２０の電気的構成を示すブロック図である。前記制御装置２０は、制御部７５と、制御部７５からの制御信号に応答して、各表示灯Ｌ１〜Ｌ６および各照明ユニットＵ１１〜Ｕ１３；……；Ｕ６１〜Ｕ６３を、各照明ユニット列Ｕ１，Ｕ２，……毎に個別に点灯／消灯させる複数の駆動部Ｄ１〜Ｄ６とを有する。制御装置２０は、タッチパネルなどの入力手段によって、詳細な設定、たとえば自動／手動、点灯箇所設定、消灯時間設定、累積点灯時間が可能である。
【００３１】
前記制御部７５は、ごみ計量機１５からの計量値信号に応答して、各表示灯Ｌ１〜Ｌ６のいずれか１つを点灯させて、点灯させた表示灯Ｌ１〜Ｌ６に対応する投入扉Ｇ１〜Ｇ６に前記収集車両Ｔを誘導することができるとともに、被処理物３の収容空間４内の堆積状況に応じて投入扉Ｇ１〜Ｇ６の１つを選択し、選択された投入扉Ｇ１〜Ｇ６に対応する表示灯Ｌ１〜Ｌ６を点灯させるための駆動信号を誘導表示手段１４に出力するとともに、たとえばごみピット２１内の収容空間４内をカメラで撮像した画像に基く演算処理によって算出した堆積状況から選ばれた投入扉Ｇ１〜Ｇ６の１つに予め関連付けられた、たとえば照明ユニットＵ１１，Ｕ１２，Ｕ１３、すなわち照明ユニット列Ｕ１を点灯させる。また、制御部７５は、前記ループコイルが収集車両Ｔを検出しなくなると、前記投入扉Ｇ１〜Ｇ６の１つ閉鎖指令信号を出力して閉鎖させた後、この閉鎖指令信号を出力した時刻から一定時間、たとえば３〜５分後に前記点灯した照明ユニットＵ１を消灯するように構成される。
【００３２】
このような制御部７５は、中央演算処理装置（Central Processing Unit、略称ＣＰＵ）によって実現され、前記制御装置２０は、操作室３６に設置される前述のクレーン操作装置３７に組込まれたコンピュータによって実現される。
【００３３】
各駆動部Ｄ１〜Ｄ６は、各表示灯Ｌ１〜Ｌ６の１つを選択的に点灯させる点灯指令信号を誘導表示手段１４に出力するとともに、点灯させた表示灯Ｌ１〜Ｌ６の１つに対応する照明ユニット列Ｕ１〜Ｕ６の１つを点灯させる点灯指令信号を照明手段１７に出力する駆動回路によって実現される。
【００３４】
図５は、制御装置２０の動作を説明するためのフローチャートである。まず、ステップＳ１で、被処理物３を搭載した収集車両Ｔがごみ処理施設２にくると、ステップＳ２で、収集車両Ｔはごみ計量機１５によって被処理物３の重量が計量され、その計量値信号は制御装置２０の制御部７５に入力される。制御部７５が計量値信号を入力すると、被処理物３の重量の計量が終了したものと判断して、次のステップＳ３に移り、投入扉Ｇ１〜Ｇ６のうちで、ごみピット２１内の収容空間４内で被処理物３の堆積量の少ない場所の上方に位置している投入扉、たとえば投入扉Ｇ１に対応する表示灯Ｌ１を点灯させ、収集車両Ｔを誘導する。
【００３５】
制御部７５はまた、次のステップＳ４において、前記表示灯Ｌ１を点灯させる番号灯点灯信号を受信すると、ステップＳ５で、プラットホーム空間１１内において収集車両Ｔの搬入経路の照明ユニットＵ１１〜Ｕ１３に対応するフラグをセットし、ステップＳ６で、当該照明ユニットＵ１１〜Ｕ１３を点灯させる。
【００３６】
次に、ステップＳ７で、収集車両を検知状態で投入扉Ｇ１が閉じられると、ステップＳ８で、その投入扉Ｇ１の閉鎖指令信号が制御部７５に入力され、制御部７５は閉鎖指令信号に応答して、フラグをリセットし、表示灯Ｌ１を消灯させた後、前述のように、表示灯Ｌ１の消灯からたとえば３〜５分後に照明ユニットＵ１１〜Ｕ１３から成る照明ユニット列Ｕ１を消灯させる。
【００３７】
ステップＳ９で、制御部７５が再び計量値信号を入力すると、ステップＳ２へ戻り、制御部７５はごみ計量機１５による計量が完了したか否かを判断する。制御部７５が照明ユニットＵ１１〜Ｕ１３を消灯してから一定時間、たとえば５〜１０分を超えて計量完了信号を入力しない場合には、ステップＳ１０で、制御装置２０を実行モードからスタンバイモードに切り換えて、待機状態にする。
【００３８】
図６は本発明の他の実施形態のごみ処理施設の照明装置１ａの照明ユニットＵを示す斜視図であり、図７は図６に示す照明装置１ａの照明ユニットＵの断面図である。なお、前述の実施形態と対応する部分には同一の参照符を付す。本実施形態の照明装置１ａの照明ユニットＵは、前述と同様に構成される吊下構造体４２と、中空の半円錐台状の反射カバー体１００と、反射カバー体１００の一側部に設けられる光源部１０１とを有する。
【００３９】
前記反射カバー体１００は、半円錐台状の周壁部１０３と、周壁部１０３の小径端部に連なる端壁部１０４と、周壁部１０３の大径端部に連なる端壁部１０５とを有する。この反射カバー体１００は、ステンレス鋼またはアルミニウム合金から成り、内面は塗膜または金属めっき層から成る反射率の高い反射膜によって形成されている。
【００４０】
前記大径側の端壁部１０５には、光源部１０１が設けられる。この光源部１０１は、前述の実施形態と同様な複数の発光ダイオード（Light Emitting Diode；略称ＬＥＤ）が光源として実装される発光体６０と、発光体６０が搭載され、発光体６０で発生する熱を放散するヒートシンク６１とを有する。
【００４１】
前記反射カバー体１００の周壁部１０３には、ブラケット４９が固定され、ブラケット４９には第２吊下部材４８の軸線方向他端部が固定され、この第２吊下部材４８から上方の構成は、前述の吊下構造体４２と同様な構成によって、天井部１０に連結されて吊下されている。
【００４２】
このような照明ユニットＵを用いることによって、投入扉Ｇ１〜Ｇ６に対して水平面上で垂直な方向Ｘ１，Ｘ２、すなわち各投入扉Ｇ１〜Ｇ６に対して正面から近接／離反する方向に長い照明領域を得ることができる。したがって、各投入扉Ｇ１〜Ｇ６に正面から近接／離反する方向に長いプラットホーム空間が構築されている場合に、該近接／離反する方向に垂直な横方向（すなわち、Ｙ１，Ｙ２方向）に隣接する各照明ユニットＵの照明領域の重複を可及的に少なくして、照明ユニットＵの使用個数を少なくし、照明ユニットＵの取付作業の手間を少なくし、工事に要するコストを削減することができる。
【００４３】
以上のように本発明の各実施形態では、収集車両Ｔがプラットホーム空間１１に進入するときだけ、投入扉Ｇ１〜Ｇ６のうちで投入口６を開放する１つの投入扉Ｇに関連付けられた照明ユニットＵだけを点灯させるので、前記従来技術のように、常時、水銀灯を点灯させている場合に比べて、消費電力量を格段に低減することができる。
【００４４】
また、各照明ユニットＵは、発光ダイオードを発光素子に用いた光源を採用するので、消費電力量を従来技術のたとえば２／１０以下に低減し、消費電力コストを削減することができ、発電によるＣＯ２発生量を削減して地球温暖化の抑制に寄与することができる。
【００４５】
さらに、制御装置２０は、誘導表示手段１４の表示灯Ｌ１〜Ｌ６の１つを選択するための信号に応答して、照明ユニットＵを点灯させるので、既存のシステムを大きく変更せずに、容易に本発明に係る照明装置を実施することができ、高い産業上の利用性を有する。
【符号の説明】
【００４６】
１  照明装置
２  ごみ処理施設
３  被処理物
４  収容空間
５  ピット壁部
６  投入口
８  ピット構造体
９  床部
１０  天井部
１１  プラットホーム空間
１２  プラットホーム構造体
１４  誘導表示手段
１５  ごみ計量機
１７  照明手段
２０  制御装置
２１  ごみピット
２２  焼却炉
２３  ごみクレーン
２４  ごみ投入ホッパ
２５  破砕機
２６  給じん装置
２７  ごみピット汚水受層
３１  不燃物取出コンベア
４０  天井構造体
４１  取付部材
４２  吊下構造体
４３  反射カバー体
４４  光源部
６０  発光体
６１  ヒートシンク
６２  反射カバー本体
６３  補助カバー体
７５  制御部
Ｇ，Ｇ１〜Ｇ６  投入扉
Ｌ，Ｌ１〜Ｌ６  表示灯
Ｔ  収集車両
Ｕ  照明ユニット
【図１】
2013054861.tif 000003
【図２】
2013054861.tif 000004
【図３】
2013054861.tif 000005
【図４】
2013054861.tif 000006
【図５】
2013054861.tif 000007
【図６】
2013054861.tif 000008
【図７】
2013054861.tif 000009